(57)【要約】【課題】ネットワークノード監視経路復旧方法及び伝送装置に関し、ノード監視経路に障害が発生した場合に自律的に監視経路の復旧を行い、復旧作業の時間や工数を削減し、また、監視用の回線を増設することなく、予備回線を敷設した場合と同様の信頼性の高いノード監視を可能にする。【解決手段】ネットワークノードの一つをマスターノードとし、該マスターノードに予め複数の監視経路パターン情報１−２を蓄積しておき、スレーブノードから定期的に受信されるノード間インターフェイスの通信状態を表す情報をインターフェイス状態テーブル１−１に格納して監視し、通信不能のノードを検知したとき、複数の監視経路パターン情報の中から、障害発生個所の経路を含まない監視経路パターンを選出し、該監視経路パターン情報を各スレーブノードに配信し、各スレーブノードは該監視経路パターン情報に従って監視経路を形成するよう接続設定を変更する。【選択図】      図１
2006128846.tif 000002
【特許請求の範囲】
【請求項１】
ネットワーク上の各ノード間を一筆書き又は芋蔓式の監視経路で接続したネットワークにおいて、該ノードの一つをマスターノードとし、該マスターノードに予め複数の監視経路パターン情報を蓄積しておき、
前記ネットワーク上の他のノードであるスレーブノードから、ノード間インターフェイスの通信状態を表す情報を、定期的に前記監視経路を通してマスターノードに送信し、
マスターノードで前記各ノード間インターフェイスの通信状態を表す情報を監視し、通信不能となったノードを検知したとき、前記記憶部に蓄積した複数の監視経路パターン情報の中から、障害発生個所の経路を含まない監視経路パターンを選出し、該選出した監視経路パターン情報を各スレーブノードに配信し、
各スレーブノードは、マスターノードから受信した監視経路パターン情報に従って監視経路を形成するようノード間インターフェイスの接続設定を変更することを特徴とするネットワークノード監視経路復旧方法。
【請求項２】
ネットワーク上の各ノード間を一筆書き又は芋蔓式に接続する複数の監視経路のパターン情報を蓄積した記憶部と、
前記ネットワーク上の他のノードであるスレーブノードから定期的に前記監視経路を通して受信されるノード間インターフェイスの通信状態を表す情報を格納する手段と、
前記各ノード間インターフェイスの各通信状態を表す情報を監視し、通信不能となったノードを検知したとき、前記記憶部に蓄積した複数の監視経路パターン情報の中から、障害発生個所の経路を含まない監視経路パターンを選出し、該選出した監視経路パターン情報を各スレーブノードに配信する手段と
を備えたことを特徴とするマスターノードの伝送装置。
【請求項３】
ネットワーク上の各ノード間を一筆書き又は芋蔓式に接続する複数の監視経路のパターン情報を蓄積した監視経路パターン情報記憶部と、
前記ネットワーク上の他のノードであるスレーブノードから定期的に前記監視経路を通して受信されるノード間インターフェイスの通信状態を表す情報を格納するインターフェイス状態テーブルと、
前記インターフェイス状態テーブルを参照して前記各ノード間インターフェイスの各通信状態を監視し、通信不能となったノードを検知したとき、通信不能ノードに隣接するスレーブノードに対して、ヘッダ部における任意に定義し得るユーザ領域で監視情報の通信を行うよう指示するフレームを送信する手段と、
前記記憶部に蓄積した複数の監視経路パターン情報の中から、障害発生個所の経路を含まない監視経路パターンを選出し、該選出した監視経路パターン情報を各スレーブノードに配信する手段と
を備えたことを特徴とするマスターノードの伝送装置。
【請求項４】
自ノード内の各ノード間インターフェイスの通信状態を監視するインターフェイス監視部と、
前記ノード間インターフェイスの通信状態の監視情報を反映した通知用情報フレームを定期的に作成するとともに、自ノードにおけるノード間インターフェイスの通信状態の異常を検出したとき、又は各ノードを一筆書き若しくは芋蔓式に接続する監視経路上の他のノードであるマスターノードからの指示が有ったとき、監視経路に含まれていないノード間インターフェイスに対して、ヘッダ部における任意に定義し得るユーザ領域で通信するよう接続設定変更を指示する障害判定部と、
前記障害判定部で作成された前記通知用情報フレームを、前記マスターノードに定期的に前記監視経路を通して送信する通知情報送信部と、
前記障害判定部の指示に従って、ヘッダ部における任意に定義し得るユーザ領域で通信する接続設定変更を行うとともに、前記マスターノードから配信された監視経路パターン情報に従って監視経路を形成するようノード間インターフェイスの接続設定を変更する装置設定部と
を備えたことを特徴とするスレーブノードの伝送装置。
【請求項５】
ネットワーク上の各ノード間を一筆書き又は芋蔓式に接続する複数の監視経路のパターン情報を蓄積した監視経路パターン情報記憶部と、
前記ネットワーク上の他のノードであるスレーブノードから定期的に前記監視経路を通して受信されるノード間インターフェイスの通信状態を表す情報を格納するインターフェイス状態テーブルと、
前記インターフェイス状態テーブルを参照して前記各ノード間インターフェイスの各通信状態を監視し、通信不能となったノードを検知したとき、通信不能ノードに隣接するスレーブノードに対して、ヘッダ部における任意に定義し得るユーザ領域で監視情報の通信を行うよう指示するフレームを送信する手段と、
前記記憶部に蓄積した複数の監視経路パターン情報の中から、障害発生個所の経路を含まない監視経路パターンを選出し、該選出した監視経路パターン情報を各スレーブノードに配信する手段とを備え、かつ、
自ノード内の各ノード間インターフェイスの通信状態を監視するインターフェイス監視部と、
前記ノード間インターフェイスの通信状態の監視情報を反映した通知用情報フレームを定期的に作成するとともに、自ノードにおけるノード間インターフェイスの通信状態の異常を検出したとき、又は各ノードを一筆書き若しくは芋蔓式に接続する監視経路上の他のノードであるマスターノードからの指示が有ったとき、監視経路に含まれていないノード間インターフェイスに対して、ヘッダ部における任意に定義し得るユーザ領域で通信するよう接続設定変更を指示する障害判定部と、
前記障害判定部で作成された前記通知用情報フレームを、前記マスターノードに定期的に前記監視経路を通して送信する通知情報送信部と、
前記障害判定部の指示に従って、ヘッダ部における任意に定義し得るユーザ領域で通信する接続設定変更を行うとともに、前記マスターノードから配信された監視経路パターン情報に従って監視経路を形成するようノード間インターフェイスの接続設定を変更する装置設定部と
を備えたことを特徴とするネットワークノードの伝送装置。
【発明の詳細な説明】
【技術分野】
【０００１】
本発明は、ネットワークノード監視経路復旧方法及び伝送装置に関し、主に、同期光伝送装置等のネットワークノードを監視するために監視用の帯域や経路を定義する装置に適用され、ネットワークノードの監視経路上に伝送障害が発生した際に、その監視経路を復旧するネットワークノード監視経路復旧方法及び伝送装置に関する。
【背景技術】
【０００２】
光同期ネットワークにおいて、ネットワークノードの障害の通知や障害に対する制御を行うための監視制御情報の通信手段は次の要素から構成されている。まず、図８に示すように、ＳＤＨ（Synchronous Digital Hierarchy）フレームのペイロード部（データ部）の一部を固定的にノード監視用帯域として使用することとし、他の通信の帯域とは別に監視用帯域を割当てておく。これは、監視用帯域と実際のサービスに使用する主信号帯域とが互いに影響を受けないようにするためである。
【０００３】
また、監視用帯域を効率的に使用するために、通信用に使用するフレーム（以下、通信フレームという。）にライフ値を設定し、ノードを通過する毎にライフ値を減じ、ライフ値がゼロに成ったときに該通信フレームを破棄することにより、通信フレームが永久的にネットワーク内にループ状に転送されるのを防ぎ、過剰な通信量による通信フレームの輻輳や遅延を防いでいる。
【０００４】
ネットワークにおけるノード監視用の通信経路（監視経路）は、部分的なループ状経路や多数の枝分かれ経路が形成されることがないよう、例えば図９の破線で示すような一筆書き又は芋蔓式の接続経路となるように決定する必要がある。これは、上述したように、ループ状経路や多数の枝分かれ経路により通信フレームの輻輳が起るのを防ぐためである。なお、ここで芋蔓式の接続経路とは、ループ状経路や多数の枝分かれ経路を形成することなく、各ノードを接続する経路を謂うものとする。
【０００５】
次に光回線の異常を検出する手段として、ＳＤＨフレームのＳＯＨ（Section Over Head）部の例えばＫ１Ｆ１Ｚ１バイト等のようにユーザが任意に定義し得る領域（以下、ユーザ領域という）に監視用のデータを送出し、その受信確認を行うことにより異常を検出する技術がある。従来、これらの技術要素を用いてネットワークのノード監視情報通信手段を構成していた。
【０００６】
本発明に関連する先行技術文献として下記の特許文献が有り、特許文献１には、通信フレームを主信号と同じ回線に送信することで、ネットワーク上の監視プロセッサと通信し、監視制御を行う監視制御方法について記載されている。また、下記の特許文献２には、複数のノードを有する光ループを監視するための監視装置であって、光ループ監視装置系切替えの迅速化等を図った光ループ監視装置について記載されている。
【特許文献１】特開２００２−３０５５４９号公報
【特許文献２】特開６３−１４６６２６号公報
【発明の開示】
【発明が解決しようとする課題】
【０００７】
従来の光同期ネットワークにおけるノード監視は、前述の技術を用いて行われているが、監視用の通信経路上のノードで伝送障害が発生した場合、障害発生箇所（例えば光インターフェイス部等）によっては、監視することができなくなるノードが多数発生し、ネットワーク監視に大きな影響を与えることとなる。
【０００８】
このような伝送障害によって想定されるネットワークノード監視不能に対処するため、監視用に主信号伝送用とは別の回線を用意し、更にその回線を２重化又は３重化した予備回線を準備することができれば、信頼性の高いネットワークノード監視を行うことが可能となるが、監視用に新たな回線を導入しその敷設を行うことはコスト的に大きな負担となる。
【０００９】
監視用の通信経路のノードで障害が発生した場合、ネットワークを介して行う処置は、通信不能となったノードに隣接するノードに対して、タイムスロットを変更するなどの接続設定の変更を行うことしかできないため、監視不能ノードの設定を考慮しつつ、隣接ノードに対して伝送障害箇所を迂回するよう接続設定を手動で変更して監視経路の復旧を行うか、或いは監視不能となったノードに対して、該ノードの伝送装置が設置されている現地まで赴き、監視装置を該ノードの伝送装置に直接接続して設定変更を行うなど、監視経路の復旧作業に大幅な時間と工数を要していた。
【００１０】
本発明は、ネットワークのノード監視経路に障害が発生した場合に、自律的に監視経路の復旧を行うことにより、監視経路の復旧処理に伴う作業時間や工数を大幅に削減し、また、監視用の回線を増設することなく、予備回線を敷設した場合と同様の信頼性の高いノード監視を行うことを可能にする。
【課題を解決するための手段】
【００１１】
本発明のネットワークノード監視経路復旧方法は、（１）ネットワーク上の各ノード間を一筆書き又は芋蔓式の監視経路で接続したネットワークにおいて、該ノードの一つをマスターノードとし、該マスターノードに予め複数の監視経路パターン情報を蓄積しておき、前記ネットワーク上の他のノードであるスレーブノードから、ノード間インターフェイスの通信状態を表す情報を、定期的に前記監視経路を通してマスターノードに送信し、マスターノードで前記各ノード間インターフェイスの通信状態を表す情報を監視し、通信不能となったノードを検知したとき、前記記憶部に蓄積した複数の監視経路パターン情報の中から、障害発生個所の経路を含まない監視経路パターンを選出し、該選出した監視経路パターン情報を各スレーブノードに配信し、各スレーブノードは、マスターノードから受信した監視経路パターン情報に従って監視経路を形成するようノード間インターフェイスの接続設定を変更することを特徴とする。
【００１２】
また、本発明のマスターノードの伝送装置は、（２）ネットワーク上の各ノード間を一筆書き又は芋蔓式に接続する複数の監視経路のパターン情報を蓄積した記憶部と、前記ネットワーク上の他のノードであるスレーブノードから定期的に前記監視経路を通して受信されるノード間インターフェイスの通信状態を表す情報を格納する手段と、前記各ノード間インターフェイスの各通信状態を表す情報を監視し、通信不能となったノードを検知したとき、前記記憶部に蓄積した複数の監視経路パターン情報の中から、障害発生個所の経路を含まない監視経路パターンを選出し、該選出した監視経路パターン情報を各スレーブノードに配信する手段とを備えたものである。
【００１３】
また、（３）ネットワーク上の各ノード間を一筆書き又は芋蔓式に接続する複数の監視経路のパターン情報を蓄積した監視経路パターン情報記憶部と、前記ネットワーク上の他のノードであるスレーブノードから定期的に前記監視経路を通して受信されるノード間インターフェイスの通信状態を表す情報を格納するインターフェイス状態テーブルと、前記インターフェイス状態テーブルを参照して前記各ノード間インターフェイスの各通信状態を監視し、通信不能となったノードを検知したとき、通信不能ノードに隣接するスレーブノードに対して、ヘッダ部における任意に定義し得るユーザ領域で監視情報の通信を行うよう指示するフレームを送信する手段と、前記記憶部に蓄積した複数の監視経路パターン情報の中から、障害発生個所の経路を含まない監視経路パターンを選出し、該選出した監視経路パターン情報を各スレーブノードに配信する手段とを備えたものである。
【００１４】
また、本発明のスレーブノードの伝送装置は、自ノード内の各ノード間インターフェイスの通信状態を監視するインターフェイス監視部と、前記ノード間インターフェイスの通信状態の監視情報を反映した通知用情報フレームを定期的に作成するとともに、自ノードにおけるノード間インターフェイスの通信状態の異常を検出したとき、又は各ノードを一筆書き若しくは芋蔓式に接続する監視経路上の他のノードであるマスターノードからの指示が有ったとき、監視経路に含まれていないノード間インターフェイスに対して、ヘッダ部における任意に定義し得るユーザ領域で通信するよう接続設定変更を指示する障害判定部と、前記障害判定部で作成された前記通知用情報フレームを、前記マスターノードに定期的に前記監視経路を通して送信する通知情報送信部と、前記障害判定部の指示に従って、ヘッダ部における任意に定義し得るユーザ領域で通信する接続設定変更を行うとともに、前記マスターノードから配信された監視経路パターン情報に従って監視経路を形成するようノード間インターフェイスの接続設定を変更する装置設定部とを備えたものである。
【００１５】
また、本発明のネットワークノードの伝送装置は、（５）ネットワーク上の各ノード間を一筆書き又は芋蔓式に接続する複数の監視経路のパターン情報を蓄積した監視経路パターン情報記憶部と、前記ネットワーク上の他のノードであるスレーブノードから定期的に前記監視経路を通して受信されるノード間インターフェイスの通信状態を表す情報を格納するインターフェイス状態テーブルと、前記インターフェイス状態テーブルを参照して前記各ノード間インターフェイスの各通信状態を監視し、通信不能となったノードを検知したとき、通信不能ノードに隣接するスレーブノードに対して、ヘッダ部における任意に定義し得るユーザ領域で監視情報の通信を行うよう指示するフレームを送信する手段と、前記記憶部に蓄積した複数の監視経路パターン情報の中から、障害発生個所の経路を含まない監視経路パターンを選出し、該選出した監視経路パターン情報を各スレーブノードに配信する手段とを備え、かつ、自ノード内の各ノード間インターフェイスの通信状態を監視するインターフェイス監視部と、前記ノード間インターフェイスの通信状態の監視情報を反映した通知用情報フレームを定期的に作成するとともに、自ノードにおけるノード間インターフェイスの通信状態の異常を検出したとき、又は各ノードを一筆書き若しくは芋蔓式に接続する監視経路上の他のノードであるマスターノードからの指示が有ったとき、監視経路に含まれていないノード間インターフェイスに対して、ヘッダ部における任意に定義し得るユーザ領域で通信するよう接続設定変更を指示する障害判定部と、前記障害判定部で作成された前記通知用情報フレームを、前記マスターノードに定期的に前記監視経路を通して送信する通知情報送信部と、前記障害判定部の指示に従って、ヘッダ部における任意に定義し得るユーザ領域で通信する接続設定変更を行うとともに、前記マスターノードから配信された監視経路パターン情報に従って監視経路を形成するようノード間インターフェイスの接続設定を変更する装置設定部とを備えたものである。
【発明の効果】
【００１６】
本発明によれば、ネットワークのノード監視経路に障害が発生したときに、マスターノードで障害箇所を判別し、障害箇所を含まない監視経路を新たに選択して、該監視経路の情報をスレーブノードに配信し、スレーブノードで該監視経路の情報に従って、新たな監視経路の接続設定を行うことにより監視経路を自動的に復旧し、これにより、監視経路復旧作業に伴う保守者の作業時間や工数を大きく削減することができる。また、復旧作業の自動化によって、人手による作業ミスから生じる２次障害を防ぐことができる。
【００１７】
また、ＳＤＨフレームＳＯＨ部等のユーザが任意に定義し得る領域を一時的に使用することにより、監視用回線を増設することなく、代替用の監視経路に切り替えることができ、監視経路として複数の予備回線を備えた構成と同等の信頼性が得られ、信頼性の高いノード監視を低コストで実現することができる。
【発明を実施するための最良の形態】
【００１８】
本発明では、ネットワーク上の監視経路の情報を保持するマスターノードを設置する。ここでマスターノード以外の監視経路内の各ノードをスレーブノードと称する。各スレーブノードは、自ノード内の各光インターフェイスのそれぞれの通信状態を定期的に監視し、該通信状態をマスターノードに定期的に通知する機能を備える。
【００１９】
マスターノードは、各スレーブノードからの各光インターフェイスの通信状態を表す情報を格納するインターフェイス状態テーブルを備え、各スレーブノードからの通知により該テーブル内の各インターフェイスの状態を更新し、その内容を保持しておく。また、マスターノードは、ネットワークにおけるノード監視経路について複数の経路パターンの情報を予めメモリに蓄積しておく。
【００２０】
マスターノードは、インターフェイス状態テーブルを参照してノード監視経路の状態を監視し、障害が発生して通信不能となったノードが検知された場合に、通信不能ノードに隣接するスレーブノードに対して、ＳＤＨフレームＳＯＨ部のユーザ領域で監視通信を行うよう指示するフレームを送信する。また、障害が発生したスレーブノードでは、自ノード内のノード間インターフェイスに対して、ＳＯＨ部のユーザ領域を使用して監視通信を行うようにハードウェアの設定を自動的に変更し、隣接ノードとの通信の復旧を試みる。
【００２１】
マスターノードは、メモリに蓄積している複数の監視経路パターン情報の中から、障害発生個所の回線を含まない監視経路パターンを選び出し、上記手順で確立した監視通信路に新しい監視経路パターンの情報を配信し、各ノードでは新しい監視経路パターンの情報に従って監視経路の接続設定の変更を行うことにより、ネットワークノード監視が正常に再開されることになる。
【００２２】
本発明のネットワークノードの構成について以下に説明する。図１にマスターノードの構成を示す。マスターノードは、インターフェイス状態テーブル１−１及び監視経路パターン情報１−２を記憶する記憶部、通知情報受信部１−３、経路状態判定部１−４、経路情報配信部１−５、及び装置設定情報送信部１−６を備える。また、光インターフェイス１−７及び回線インターフェイス１−８は、マスターノード及びスレーブノードに共通に備えられている。
【００２３】
光インターフェイス１−７はネットワークノード間を接続する光回線を収納するノード間インターフェイスであり、回線インターフェイス１−８は自ノードに収容される通信端末１−９又はローカル回線と接続され、また、監視装置１−１０も該回線インターフェイス１−８に接続されるインターフェイスである。通知情報受信部１−３は、ＳＤＨフレームから抽出される通知用情報フレームを受信し、該フレームの受信毎にインターフェイス状態テーブル１−１を逐次更新する。
【００２４】
経路状態判定部１−４は、インターフェイス状態テーブル１−１の状態情報の変化を検出し、状態変化検出時に監視経路パターン情報１−２を検索し、適切な監視経路情報を選択する。装置設定情報送信部１−６は、障害発生時に通信不能になったスレーブノードの隣接ノードに対して、ＳＤＨフレームＳＯＨ部のユーザ領域での通信復旧を促す指示を送信し、また、経路情報配信部１−５は、選択された監視経路情報を該ＳＯＨ部のユーザ領域を用いてネットワーク全体に送信する。
【００２５】
図２にスレーブノードの構成を示す。スレーブノードは、インターフェイス監視部２−１、障害判定部２−２、通知情報送信部２−３、及び装置設定部２−４から成る。インターフェイス監視部２−１は自ノードの各光インターフェイス２−５の状態を監視する。
【００２６】
障害判定部２−２は、インターフェイス監視部２−１による状態監視情報を反映した通知用情報フレームを定期的に作成する。また、障害判定部２−２は、障害発生検出時に光インターフェイス２−５の中から現時点の監視経路に含まれていない光インターフェイスに対してＳＯＨ部のユーザ領域で通信するよう接続設定変更を行う指示を装置設定部２−４に対して行う。
【００２７】
通知情報送信部２−３は、障害判定部２−２で作成された上記の通知用情報フレームをマスターノードに定期的に監視経路経由で送信する。装置設定部２−４は、マスターノードから送信された復旧用の監視経路情報に従って、又は自ノードの障害判定部２−２からの自動設定変更指示に従って、光インターフェイス２−５の接続設定を変更する。
【００２８】
図３にマスターノードが管理するインターフェイス状態テーブルの構成を示す。インターフェイス状態テーブルに格納される情報は、ネットワーク上の各スレーブノードの識別情報を表すノード番号、ノード毎に定義されている各ノード内の各光インターフェイスの識別情報（以下、インターフェイス識別情報ともいう）、及び該光インターフェイスの通信状態を表す通信状態情報から成る。
【００２９】
図４に通知用情報フレームのデータ構成を示す。通知用情報フレームは、送信元スレーブノードのノード番号、自ノード内の各光インターフェイスの識別情報及びその通信状態情報から構成される。通知用情報フレームには、自ノード内の全てのインターフェイス識別情報とそれらの通信状態の情報が格納される。
【００３０】
図５にマスターノードが予め保持している監視経路パターン情報の一例を示す。監視経路パターン情報は、ネットワークのノード監視経路に沿って経路順にインターフェイス識別情報を配列した情報で、各インターフェイス識別情報対応にその使用帯域及びライフ値の情報を格納したものである。図５に示す監視経路パターン情報は、図９に示した監視経路に対応している。
【００３１】
なお、各光インターフェイスの使用帯域情報として、光回線を介して対向する光インターフェイス同士には同一の使用帯域を使用する設定が行われるように作成される。例えば、ノード＃３のインターフェイス［３．１］は、光回線を介してノード＃２のインターフェイス［２．２］と対向し、それぞれの通信帯域にはタイムスロット（ＴＳ）１０００から１０００４の同一の帯域を設定する。
【００３２】
また、ライフ値の情報はノード毎に設定され、これも光回線を介して対向する光インターフェイス同士には同一のライフ値が設定されるように作成される。例えば、ノード＃３にはライフ値６が設定されていたとすると、そのインターフェイス［３．１］にはライフ値６が設定され、ノード＃２にはライフ値５が設定されていたとすると、そのインターフェイス［２．２］及び［２．１］にはライフ値５が設定される。なお、同図において、同一ノード内の既出のライフ値には「−」で表示し、上覧のライフ値と同値であることを示している。
【００３３】
以下に本発明の動作例について図６を参照して説明する。ここで、各ノードは図６の実線で示すネットワークの形態で接続されて運用されているものとする。また、各ネットワークノードを監視する監視経路は、同図（ａ）の破線で示す経路により形成されているものとする。
【００３４】
今、ノード＃４とノード＃５との間で回線障害が発生したとすると、ノード＃４，＃５では、それぞれのインターフェイス監視部２−１で、光インターフェイス［４．２］及び［５．１］の障害が検出される。その後、障害判定部２−２により通知用情報フレームが作成され、マスターノード宛に送信される。
【００３５】
図６の動作例の場合、ノード＃４からの通知用情報フレームは、監視経路を通してマスターノードに到着するが、ノード＃５からの通知用情報フレームは、監視経路を通してマスターノードに到着させることができない。また、ノード＃４，＃５では、これと同時に障害判定部２−２によって、現時点の監視経路に含まれていない光インターフェイスに対して、ＳＯＨ部のユーザ領域を用いて監視通信を行うように自動的に接続設定の変更を行う。
【００３６】
ノード＃４から通知用情報フレームを受信したマスターノードは、インターフェイス状態テーブル１−１を更新する。しかし、ノード＃５，＃６，＃７から通知用情報フレームがマスターノードに受信されず、所定時間経過を示すタイムアウト検出によりノード＃５，＃６，＃７の通信不能が判明する。
【００３７】
通信不能ノードを検出したマスターノードの経路状態判定部１−４は、通信不能ノード＃５，＃６，＃７に隣接するノード＃２，＃３のインターフェイスの中から監視経路に含まれていない光インターフェイス［２．３］［３．２］に対して、ＳＯＨ部のユーザ領域を使用して監視通信を行う旨を指示する指示フレームを該ノード宛に送信する。
【００３８】
上記の指示フレームを受信したノード＃２，＃３は、装置設定部２−４により光インターフェイス［２．３］［３．２］の設定変更を行う。これにより、図６の（ｂ）に太い二重破線で示すように、ノード＃２，＃５間での監視用の通信経路が確立する。ノード＃３，＃６間では、ノード＃６において光インターフェイス［６．３］に対してＳＯＨ部のユーザ領域を使用して通信させる設定変更がなされないため、ノード＃３，＃６間の通信経路は確立しない。これにより図６の（ｂ）に示すように一時的に監視用通信経路が復旧し、マスターノード＃１は、ノード＃５，＃６，＃７からの通知用情報フレームの受信ができるようになる。
【００３９】
マスターノードの経路状態判定部１−４では、インターフェイス状態テーブル１−１を参照し、障害個所を含まない監視経路を監視経路パターン情報１−２から検索し、例えば図７に示す代替用の監視経路パターン情報のうち、監視経路パターン＃１は光インターフェイス［４．２］−［５．１］間が障害発生中となっているため選択せず、監視経路パターン＃２には障害発生中となっている光インターフェイスが存在しないので、監視経路パターン＃２（即ち、図６の（ｃ）に示す監視経路）を選択する。選択された監視経路情報は、経路情報配信部１−５よりネットワーク全体に同報通信により配信される。
【００４０】
監視経路情報を受信した各スレーブノードでは、自ノードの各光インターフェイスが該監視経路に含まれるか否かを判定し、該監視経路に含まれている光インターフェイスに対して、装置設定部２−４により当該光インターフェイスの接続設定を変更する。例えば、ノード＃６において、図７の監視経路パターン＃２のインターフェイス識別情報より、光インターフェイス［６．１］［６．２］［６．３］に対して接続設定の変更を行い、図６の（ｃ）の破線で示す新たな監視経路を形成し、これによりネットワーク監視が復旧することになる。
【００４１】
なお、本発明の説明において、マスターノードの構成とスレーブノードの構成を分離して説明したが、一つのネットワークノードにマスターノードの機能とスレーブノードの機能とを併せ持つように構成し、ネットワークの構築状況に応じて適宜ネットワークノードの一つをマスターノードとして選定し、残りをスレーブノードとして設定してネットワーク監視を行う構成とすることができる。
【図面の簡単な説明】
【００４２】
【図１】本発明のマスターノードの構成を示す図である。
【図２】本発明のスレーブノードの構成を示す図である。
【図３】本発明のインターフェイス状態テーブルの構成を示す図である。
【図４】本発明の通知用情報フレームのデータ構成を示す図である。
【図５】本発明の監視経路パターン情報の一例を示す図である。
【図６】本発明の動作例を示す図である。
【図７】本発明の代替用の監視経路パターン情報の一例を示す図である。
【図８】ＳＤＨフレームを示す図である。
【図９】ネットワークにおける監視経路を示す図である。
【符号の説明】
【００４３】
１−１  インターフェイス状態テーブル
１−２  監視経路パターン情報
１−３  通知情報受信部
１−４  経路状態判定部
１−５  経路情報配信部
１−６  装置設定情報送信部
１−７  光インターフェイス
１−８  回線インターフェイス
１−９  通信端末
１−１０  監視装置
２−１  インターフェイス監視部
２−２  障害判定部
２−３  通知情報送信部
２−４  装置設定部
２−５  光インターフェイス
【図１】
2006128846.tif 000003
【図２】
2006128846.tif 000004
【図３】
2006128846.tif 000005
【図４】
2006128846.tif 000006
【図５】
2006128846.tif 000007
【図６】
2006128846.tif 000008
【図７】
2006128846.tif 000009
【図８】
2006128846.tif 000010
【図９】
2006128846.tif 000011